(57)【要約】【課題】下地塗装済みＡＬＣボード２の締結作業において下地塗装膜１の捲れ上がりを防止する。【解決手段】ＡＬＣボード用自穿孔ねじ４の頭部５は、大略角錐台状をなす角錐台状部９と、この角錐台状部９の底部に設けられ、角錐台状部９から軸部６の径方向外方に突出するフランジ状部１０とを有する。締結時、フランジ状部１０の座面１０ａが下地塗装膜１に密着し、ねじ回転方向に下地塗装膜１をねじるようにして引き摺りながら、ねじ４の直線進行方向に引っ張って行き、それによりねじ込み部付近の下地塗装膜１がＡＬＣボード２から切り離される。このため、従来のように自穿孔ねじ４沈頭後の穴１１の開口の周りに下地塗装膜１が逆に跳ね戻り、ＡＬＣボード２の表面から捲れ上がった状態となるのを防止できる。【選択図】図１４
2015025509.tif 000002
【特許請求の範囲】
【請求項１】
ＡＬＣボードを締結するためのＡＬＣボード用自穿孔ねじであって、
軸部と、この軸部の少なくとも一部の外周に設けられた雄ねじ部と、前記軸部の後端部に設けられた頭部と、この頭部に設けられたリセスとを有してなり、
前記頭部は、前記軸部と同軸な大略角錐台状をなし、頂部側が前記軸部側に位置する一方、底部側が前記軸部と反対側に位置する角錐台状部と、前記角錐台状部の底部に設けられ、前記角錐台状部から前記軸部の径方向外方に突出するフランジ状部とを有しているＡＬＣボード用自穿孔ねじ。
【請求項２】
前記フランジ状部の外周は、前記軸部と同軸な円形に近似しているが、完全な円形ではないか若しくは前記軸部に対し若干偏心している（または完全な円形ではなく、かつ前記軸部に対し若干偏心している）請求項１記載のＡＬＣボード用自穿孔ねじ。
【請求項３】
前記角錐台状部は稜線部をＲ面取りされており、かつこのＲ面取りのＲが前記軸部側から前記フランジ状部に近づくほど大きくなっている請求項１または２記載のＡＬＣボード用自穿孔ねじ。
【請求項４】
前記フランジ状部の外周は、厚さ方向中央部において径が最大となり、フランジ状部の両面において径が小さくなるように丸みがついている請求項１乃至３のいずれか１項に記載のＡＬＣボード用自穿孔ねじ。
【発明の詳細な説明】
【技術分野】
【０００１】
本発明はＡＬＣ（軽量気泡コンクリート）ボードを建物の躯体等の木質部に締結する際に用いるＡＬＣボード用自穿孔ねじに関する。
【背景技術】
【０００２】
ＡＬＣボードは、断熱素材および建材として多用されている。一般的な木造建築においても、外壁材として、断熱材の機能をも兼ねて使用されており、例えば特許文献１に示されるような、自らねじ立てして木質部に雌ねじを形成して行く自穿孔ねじを用いて、建物の躯体等を構成する木質部に取り付けられている。ここにおいて、ＡＬＣボードが自穿孔ねじで固定されるべき柱の位置は建築現場毎に様々であるので、ＡＬＣボードにボードを固定するための穴を予め開けておくことはできない。また、ＡＬＣボードを固定するに当たり、美観上の理由から、固定用の自穿孔ねじは、沈頭するまで、すなわちその頭部がＡＬＣボード内に完全に沈み込むまで締め付けられる。そして、以前は、締め付け作業終了後に沈頭した穴をパテ等で充填して穴の痕跡を見えなくした上、防水のために下地塗装をし、さらに最終的な外観塗装を施していた。
【０００３】
しかし、ＡＬＣボードは、工事現場では鉛直に立てられて固定されるので、現場で固定後に防水の下地塗装をすると、塗料の液だれ等もあり、熟練者でも均一な塗装面を確保することが難しく、建築物の寿命の確保が難しくなる。
【０００４】
したがって、現在では、生産工場の段階でＡＬＣボード表面に防水下地塗料を予め塗布したものも生産されている。このようなＡＬＣボードでは、工場で塗装されることにより、安定した高品質の下地塗装が確保される。
【先行技術文献】
【特許文献】
【０００５】
【特許文献１】特開平１０−３７９２５号公報
【発明の概要】
【発明が解決しようとする課題】
【０００６】
図１は、上記のように工場段階で表面に防水下地塗料１を予め塗布されたＡＬＣボード２を使用した従来のＡＬＣボード２の締結構造の一例を示している。なお、この従来例では、ＡＬＣボード２を建物躯体側の木質材料部材３にＡＬＣボード用自穿孔ねじ４により締結している。自穿孔ねじ４は、特許文献１に開示されているものと同様に、頭部５が大略六角錐台状をなしているものである。また、図は水平断面であり、自穿孔ねじ４は水平方向にねじ込まれ、ＡＬＣボード２は鉛直方向に固定されている。
【０００７】
防水下地塗料は粘着性を有するため、従来は、自穿孔ねじ４の頭部５がＡＬＣボード２内に沈頭する際、頭部５が下地塗装膜１を擦りつつＡＬＣボード２内に引っ張りこむが、自穿孔ねじ４による締結が終了するまでに、引っ張り込まれた下地塗装膜１が自穿孔ねじ４の頭部５が沈頭した穴１１の開口の周りに逆に跳ね戻り、図１の１ａに示されるように、塗装ＡＬＣボード２の表面から捲れ上がった状態となり、著しく美観を損なうため、その補修に多大な労力が必要となっていた。
【０００８】
本発明は、このような従来の事情に鑑みてなされたもので、本発明の目的の一つは、下地塗装済みＡＬＣボードの取り付け作業において、ねじ締結作業による下地塗装膜の捲れ上がりの発生を防止ないしは低減し、塗装捲れの補修作業を完全に不要とするか、または補修作業の負担を軽減することができるＡＬＣボード用自穿孔ねじを提供することにある。
【０００９】
本発明のさらに他の目的は、以下の説明から明らかになろう。
【課題を解決するための手段】
【００１０】
本発明によるＡＬＣボード用自穿孔ねじは、
ＡＬＣボードを締結するためのＡＬＣボード用自穿孔ねじであって、
軸部と、この軸部の少なくとも一部の外周に設けられた雄ねじ部と、前記軸部の後端部に設けられた頭部と、この頭部に設けられたリセスとを有してなり、
前記頭部は、前記軸部と同軸な大略角錐台状をなし、頂部側が前記軸部側に位置する一方、底部側が前記軸部と反対側に位置する角錐台状部と、前記角錐台状部の底部に設けられ、前記角錐台状部から前記軸部の径方向外方に突出するフランジ状部とを有しているものである。
【００１１】
本発明のＡＬＣボード用自穿孔ねじは、下地塗料を予め塗布されたＡＬＣボードにねじ込んで行くと、まず、該ねじの軸部の先端が塗装膜を突き破り、軸部がＡＬＣボード、さらには木質材料部材に侵入して行く。
【００１２】
続いて角錐台状部が塗装膜を広げるとともに、角錐台状部の稜線部がＡＬＣボードを切削し、先行する軸部によりＡＬＣボードに形成された穴を拡大して行く。
【００１３】
次に、フランジ状部の座面（フランジ状部の自穿孔ねじ先端側の面）が塗装膜に密着し、ねじ回転方向に塗装膜をねじるようにして引き摺りながら、自穿孔ねじの直線進行方向に引っ張って行く。これにより、自穿孔ねじの頭部がＡＬＣボード内に十分沈頭した状態となるまでには、自穿孔ねじがねじ込まれた付近の塗装膜はＡＬＣボードから切り離される。
【００１４】
このため、従来のように、自穿孔ねじ沈頭後の穴の開口の周りに下地塗装膜が逆に跳ね戻り、塗装ＡＬＣボードの表面から捲れ上がった状態となるのを防止するか、または低減でき、塗装捲れの補修作業を完全に不要とするか、または補修作業の負担を軽減することができる。
【００１５】
また、フランジ状部という軸部に垂直な平面があるので、フランジ状部を有さず斜面しかなかった従来のＡＬＣボード用自穿孔ねじに比し軸部の外径を同じにしても、耐引き抜き力が増大する。
【発明の効果】
【００１６】
本発明のＡＬＣボード用自穿孔ねじによれば、
（イ）下地塗装済みＡＬＣボードの取り付け作業において、ねじ締結作業による下地塗装膜の捲れ上がりの発生を防止ないしは低減し、塗装捲れの補修作業を完全に不要とするか、または補修作業の負担を軽減することができる、
（ロ）耐引き抜き力が増大する、
等の優れた効果を得られる。
【図面の簡単な説明】
【００１７】
【図１】従来のＡＬＣボード用自穿孔ねじを使用した場合の締結終了後の下地塗装済みＡＬＣボードの下地塗装膜の状態を示す断面図である。
【図２】本発明によるＡＬＣボード用自穿孔ねじの実施例１を示す正面図である。
【図３】前記実施例１のＡＬＣボード用自穿孔ねじを示す平面図である。
【図４】前記実施例１のＡＬＣボード用自穿孔ねじを示す側面図である。
【図５】前記実施例１のＡＬＣボード用自穿孔ねじの頭部付近を示す斜視図である。
【図６】図２のＶＩ−ＶＩ線における断面図である。
【図７】図３のＶＩＩ−ＶＩＩ線における断面図である。
【図８】図２のＶＩＩＩ−ＶＩＩＩ線における断面図である。
【図９】図２のＩＸ−ＩＸ線における断面図である。
【図１０】図２のＸ−Ｘ線における断面図である。
【図１１】前記実施例１のＡＬＣボード用自穿孔ねじをＡＬＣボードにねじ込み始めた状態を示す断面図である。
【図１２】前記実施例１のＡＬＣボード用自穿孔ねじの角錐台状部がＡＬＣボードを切削し始めた状態を示す断面図である。
【図１３】前記実施例１のＡＬＣボード用自穿孔ねじのフランジ状部の座面がＡＬＣボードに接触した状態を示す断面図である。
【図１４】前記実施例１のＡＬＣボード用自穿孔ねじが所定深さまで沈頭し、ＡＬＣボードの締結が終了した状態を示す断面図である。
【図１５】図１４におけるＡＬＣボード用自穿孔ねじの頭部付近を示す拡大断面図である。
【図１６】ＡＬＣボードの締結後、前記実施例１のＡＬＣボード用自穿孔ねじの沈頭により生じた穴にパテを充填し、さらに下地塗装および仕上げ塗装を行った状態を示す断面図である。
【図１７】本発明によるＡＬＣボード用自穿孔ねじの実施例２を示す正面図である。
【図１８】前記実施例２のＡＬＣボード用自穿孔ねじを示す平面図である。
【図１９】図１７のＸＩＸ−ＸＩＸ線における断面図である。
【発明を実施するための形態】
【００１８】
以下、本発明を図面に示す実施例に基づいて説明する。
【実施例１】
【００１９】
図２〜１０は、本発明によるＡＬＣボード用自穿孔ねじ４の実施例１を示しており、軸部６と、この軸部６の後端側の一部を除く部分の外周に設けられた雄ねじ部７と、前記軸部６の後端部に設けられた頭部５と、この頭部５に設けられた四角穴からなるリセス８とを塑性加工（冷間圧造および転造加工）により一体的に設けられている。なお、前記リセス８は、六角穴、十字穴等の他の形状としてもよい。
【００２０】
前記頭部５は、角錐台状部９とフランジ状部１０とを有している。前記角錐台状部９は軸部６と同軸な大略四角錐台状をなしており、頂部側が軸部６側に位置する一方、底部側が軸部６と反対側に位置している。前記角錐台状部９の４つの稜線部９ａは、図５および８〜１０によく示されるように、Ｒ面取りされており、かつこのＲ面取りのＲが軸部６側からフランジ状部１０に近づくほど大きくなっている。
【００２１】
前記フランジ状部１０は、円板状をなしていて、角錐台状部９の底部に設けられており、角錐台状部９の全周から軸部６の径方向外方に突出している。なお、便宜上、図３，６，８〜１０では、フランジ状部１０の外周は完全な円形で、軸部６に対し偏心していないように描いているが、実際には本実施例においては、塑性加工時にフランジ状部１０の外周部を型に嵌めない自由加工により成形しているので、フランジ状部１０の外周は、軸部６と同軸な円形に近似しているものの、完全な円形ではないか若しくは軸部６に対し若干偏心している（または完全な円形ではなく、かつ軸部６に対し若干偏心している）。また、フランジ状部１０の外周は、図７によく示されるように、厚さ方向中央部において径が最大となり、フランジ状部１０の両面において径が小さくなるように自然に丸みがついている。
【００２２】
次に、図１１〜１４を参照して、本実施例のＡＬＣボード用自穿孔ねじ４による下地塗装済みのＡＬＣボード２の取付工程を説明する。なお、本実施例においては、前記図１の従来例と同様に、ＡＬＣボード２を建物躯体側の木質材料部材３にＡＬＣボード用自穿孔ねじ４により締結するものとしている（ただし、本発明においては、ＡＬＣボードと建物躯体との間に他の部材を介在させてもよいし、ＡＬＣボードと建物躯体との間に他の部材を介在させなくてもよい）。
【００２３】
このＡＬＣボード用自穿孔ねじ４は、下地塗料を予め塗布されたＡＬＣボード２にねじ込んで行くと、まず、図１１のように該ねじ４の軸部６の先端が下地塗装膜１を突き破り、軸部６がＡＬＣボード２、さらには木質材料部材３に侵入して行く。
【００２４】
続いて図１２のように、角錐台状部９が下地塗装膜１を広げるとともに、角錐台状部９の稜線部９ａがＡＬＣボード２を切削し、先行する軸部６によりＡＬＣボード２に形成された穴１１を拡大して行く。
【００２５】
次に、図１３のように、フランジ状部１０の座面１０ａ（フランジ状部１０の自穿孔ねじ４先端側の面）が下地塗装膜１に密着し、ねじ回転方向に下地塗装膜１をねじるようにして引き摺りながら、ねじ４の直線進行方向に引っ張って行く。これにより、図１４に示されるように自穿孔ねじ４の頭部５がＡＬＣボード２内に十分沈頭した状態となるまでには、自穿孔ねじ４がねじ込まれた付近の下地塗装膜１はＡＬＣボード２から切り離される（なお、図１４は、自穿孔ねじ４を所定深さまで沈頭し、締結作業が完了した状態を示している。）。
【００２６】
これにより、従来のように、自穿孔ねじ４沈頭後の穴１１の開口の周りに下地塗装膜１が逆に跳ね戻り、ＡＬＣボード２の表面から捲れ上がった状態となるのを防止するか、または低減でき、塗装捲れの補修作業を完全に不要とするか、または補修作業の負担を軽減することができる。
【００２７】
また、フランジ状部１０という軸部６に垂直な平面があるので、フランジ状部を有さず斜面しかなかった図１の従来のＡＬＣボード用自穿孔ねじ４に比し軸部６の外径を同じにしても、耐引き抜き力が増大する。
【００２８】
また、本実施例では、角錐台状部９の稜線部９ａがＲ面取りされており、かつこのＲ面取りのＲが軸部６側からフランジ状部１０に近づくほど大きくなっているので、次の理由により、自穿孔ねじ４の沈頭作業を能率よくかつ美麗に行うことができるとともに、必要とされるねじ込みトルクを小さくすることができる。すなわち、角錐台状部９の稜線部９ａがＡＬＣボード２を切削して行くとき、ＡＬＣボード２の穴１１が小さい段階では、稜線部９ａのうちの軸部６側のＲが小さく、鋭利な部分が切削を行うので、切削が能率よく行われる。また、ＡＬＣボード２の切削が進み、穴がある程度大きくなった部分では、稜線部９ａのうちのフランジ状部１０側のＲが大きく、ある程度鋭利さを抑えられた部分が切削を行うので、切削面を美麗にすることができるとともに、稜線部９ａの該部分とＡＬＣボード２に形成された穴１１の周面とがよくなじむようになる。また、稜線部９ａのフランジ状部１０側のＲも小さくされていると、自穿孔ねじ４がＡＬＣボード２から受ける抵抗力が大きくなり、必要とされるねじ込みトルクが大きくなってしまうが、本実施例では前記Ｒが軸部６側からフランジ状部１０に近づくほど大きくなっているので、自穿孔ねじ４がＡＬＣボード２から受ける抵抗力が小さくなり、小さなねじ込みトルクで締結を行うことができる。
【００２９】
ただし、本発明においては、上記本実施例の利点を得る必要がない場合は、角錐台状部９の稜線部９ａの全部分においてＲ面取りのＲを同じ大きさとしてもよいし、稜線部９ａを面取りしなくてもよい。また、本発明においては、稜線部９ａを平面取りしてもよい。
【００３０】
また、本実施例では、フランジ状部１０の外周は、軸部６と同軸な円形に近似しているものの、完全な円形ではないか若しくは軸部６に対し若干偏心している（または完全な円形ではなく、かつ軸部６に対し若干偏心している）ようにしているので、図１５に示されるように、部分的にフランジ状部１０の外周と穴１１の周面との間に隙間１２が生じ、その隙間１２にＡＬＣの粉が逃げられるので、ＡＬＣボード２の切削がより良好に行われる。
【００３１】
ただし、本発明においては、フランジ状部１０の外周を軸部６と同軸な完全な円形としてもよい。
【００３２】
さらに、本実施例では、フランジ状部１０の外周は、厚さ方向中央部において径が最大となり、フランジ状部１０の両面において径が小さくなるように丸みがついており、フランジ状部１０の外周には鋭いエッジ部がないので、下地塗装膜１がフランジ状部１０の外周で切断されてしまうことがない。したがって、前述のようにフランジ状部１０の座面１０ａが下地塗装膜１に密着すると、自穿孔ねじ４が確実に、下地塗装膜１のうちのフランジ状部１０の外周よりＡＬＣボード２の表面側に位置している部分をもねじ回転方向にねじるようにして引き摺りながら、直線進行方向に引き込んで行くので、下地塗装膜１が確実にフランジ状部１０の外周よりＡＬＣボード２の表面側においてＡＬＣボード２から切り離される。このため、従来のように、下地塗装膜１が逆に跳ね戻り、塗装ＡＬＣボード２の表面から捲れ上がった状態となるのをより高い確率で防止できる。
【００３３】
ただし、本発明においては、フランジ状部１０の外周に丸みがつかないようにしてもよい。
【００３４】
図１４のように自穿孔ねじ４が所定深さまで沈頭し、締結作業が完了したならば、図１６のように穴１１のうちの自穿孔ねじ４の頭部５上の部分にパテ１３を充填した後、その部分にのみ下地塗料を塗布してから仕上げ塗装を行う。１４は仕上げ塗装膜を示している。
【実施例２】
【００３５】
図１７〜１９は、本発明によるＡＬＣボード用自穿孔ねじ４の実施例２を示している。本実施例においては、角錐台状部９は大略六角錐台状とされている。前記角錐台状部９の６つの稜線部９ａはそれぞれ全長に渡って同一のＲで僅かにＲ面取りされている。他の構成は実施例１の場合と同様である。
【００３６】
本実施例においても、実施例１の場合と同様の作用効果を得ることができる（ただし、実施例１と異なり、角錐台状部９の稜線部９ａのＲ面取りのＲが軸部６側からフランジ状部１０に近づくほど大きくなっていないので、実施例１のそのことによる作用効果は得ることができない）。
【００３７】
なお、前記実施例１および２においては、頭部５の角錐台状部９は大略四角錐台状または六角錐台状とされているが、本発明においては、角錐台状部は五、七、八角錐台状等の他の角数の角錐台状としてもよい。
【産業上の利用可能性】
【００３８】
以上のように本発明によるＡＬＣボード用自穿孔ねじは、ＡＬＣボードを建物の躯体等の木質部に締結する際に用いる雄ねじとして有用である。
【符号の説明】
【００３９】
１    下地塗装膜
２    下地塗装済ＡＬＣボード
３    木質材料部材
４    ＡＬＣボード用自穿孔ねじ
５    頭部
６    軸部
７    雄ねじ部
８    リセス
９    角錐台状部
９ａ  角錐台状部の稜線部
１０    フランジ状部
１０ａ  フランジ状部の座面
１１    自穿孔ねじによりＡＬＣボードに形成された穴
１２    フランジ状部の外周と穴の周面との間に形成される隙間
【図１】
2015025509.tif 000003
【図２】
2015025509.tif 000004
【図３】
2015025509.tif 000005
【図４】
2015025509.tif 000006
【図５】
2015025509.tif 000007
【図６】
2015025509.tif 000008
【図７】
2015025509.tif 000009
【図８】
2015025509.tif 000010
【図９】
2015025509.tif 000011
【図１０】
2015025509.tif 000012
【図１１】
2015025509.tif 000013
【図１２】
2015025509.tif 000014
【図１３】
2015025509.tif 000015
【図１４】
2015025509.tif 000016
【図１５】
2015025509.tif 000017
【図１６】
2015025509.tif 000018
【図１７】
2015025509.tif 000019
【図１８】
2015025509.tif 000020
【図１９】
2015025509.tif 000021